(57)【要約】【課題】  制御装置の温度あるいは制御装置が置かれた環境の温度による制御装置の障害を回避することの可能な制御装置のロック方法を提供する。【解決手段】  本発明は，制御装置５をロックする方法に関するものである。制御装置５はウェイクアップ信号によって覚醒され，かかる方法においてウェイクアップ信号は過温度回路３によってブロックされる。これにより，制御装置５の温度あるいは制御装置５が置かれた環境の温度が，制御装置５の障害に影響する危機的温度より高くなった場合，制御装置５がロックされる。【選択図】    図１
2006096342.tif 000002
【特許請求の範囲】
【請求項１】
ウェイクアップ信号によって覚醒される制御装置（５）をロックする制御装置のロック方法であって：
前記ウェイクアップ信号が過温度回路（３）によってブロックされることを特徴とする，制御装置のロック方法。
【請求項２】
前記ウェイクアップ信号のブロッキングは，ソフトウェアによって作動され，
前記ウェイクアップ信号は，ハードウェア側でブロックされることを特徴とする，請求項１に記載の制御装置のロック方法。
【請求項３】
前記ウェイクアップ信号は，危機的温度より高くなったときブロックされることを特徴とする，請求項１または２のいずれかに記載の制御装置のロック方法。
【請求項４】
前記ウェイクアップ信号のブロッキングは，前記制御装置（５）の温度に基づいて行われることを特徴とする，請求項１〜３のいずれかに記載の制御装置のロック方法。
【請求項５】
前記過温度回路（３）によって作動された前記ウェイクアップ信号のブロッキングは，前記制御装置（５）が始動装置（４１）により始動された場合にリセットされることを特徴とする，請求項１〜４のいずれかに記載の制御装置のロック方法。
【請求項６】
前記過温度回路（３）は，トランジスタ（１１）を有し，
前記制御装置（５）の前記ウェイクアップ信号は，前記トランジスタ（１１）によって前記ウェイクアップ信号を逃がすことにより，ブロックされることを特徴とする，請求項１〜５のいずれかに記載の制御装置のロック方法。
【請求項７】
前記トランジスタ（１１）は，前記過温度回路（３）の双安定素子（１３）によって切り替えられることを特徴とする，請求項６に記載の制御装置のロック方法。
【請求項８】
前記ウェイクアップ信号は，前記ウェイクアップ信号を前記制御装置（５）へ伝達する信号路（３９）においてブロックされることを特徴とする，請求項１〜７のいずれかに記載の制御装置のロック方法。
【請求項９】
制御装置（５）を覚醒させるウェイクアップ信号をブロックすることにより，前記制御装置（５）をロックさせることを特徴とする，過温度回路。
【請求項１０】
前記過温度回路は，前記制御装置（５）の少なくとも１つの最大の温度プロフィールに相当する温度プロフィールを有することを特徴とする，請求項９に記載の過温度回路。
【請求項１１】
前記過温度回路は，トランジスタ（１１）と双安定素子（１３）を有し，
前記双安定素子（１３）の温度値に基づく状態の変化に伴って，前記トランジスタ（１１）を切り替えることを特徴とする，請求項９または１０のいずれかに記載の過温度回路。
【請求項１２】
請求項１〜８のいずれかに記載の制御装置のロック方法を実施するために，コンピュータ上または該当する計算ユニット上で実施されるプログラムコード手段を有するコンピュータプログラム。
【請求項１３】
請求項１〜８のいずれかに記載の制御装置のロック方法を実施するために，コンピュータまたは該当する計算ユニットにより読取り可能なデータ担体上に記憶され，前記コンピュータ上または該当する前記計算ユニット上で実施されるプログラムコード手段を有するコンピュータプログラム製品。
【発明の詳細な説明】
【技術分野】
【０００１】
本発明は，制御装置のロック方法，過温度回路，プログラムコード手段を有するコンピュータプログラムおよびコンピュータプログラム製品に関する。
【背景技術】
【０００２】
制御装置の機能方法は，制御装置の温度あるいは制御装置が存在している環境の温度によって影響を受ける可能性がある。温度に基づく制御装置の障害は，制御装置が定められた温度領域外部にある場合に制御装置のスイッチが入ることを防止することによって回避することができる。
【発明の開示】
【発明が解決しようとする課題】
【０００３】
そこで，本発明は，上記問題に鑑みてなされたものであり，本発明の目的とするところは，制御装置の温度あるいは制御装置が置かれた環境の温度によって生じる制御装置の障害を回避することの可能な，新規かつ改良された制御装置のロック方法を提供することにある。
【課題を解決するための手段】
【０００４】
上記背景技術を踏まえ，本発明にかかる制御装置のロック方法，過温度回路，コンピュータプログラムおよびコンピュータプログラム製品が紹介される。
【０００５】
上記課題を解決するために，本発明のある観点によれば，ウェイクアップ信号によって覚醒させるべき制御装置をロックするための制御装置のロック方法が提供される。このとき，ウェイクアップ信号は，過温度回路によってブロックされることを特徴とする。
【０００６】
制御装置は，ウェイクアップ信号（ｗａｋｅ  ｕｐ  ｓｉｇｎａｌ；覚醒信号）によってのみ覚醒して，駆動を開始することができる。その駆動において，制御装置は，場合によっては１または２以上の他の装置を制御するための制御機能を機能させる。
【０００７】
例えば，ウェイクアップ信号は，一回だけブロックされるようにすることができる。ウェイクアップ信号が，過温度回路によって，すなわちハードウェア側でブロックされる場合には，制御装置の覚醒は抑圧されるので，制御装置は覚醒されない。
【０００８】
過温度回路は，ハードウェア側のロックエレクトロニクスとして形成することのでき，適切なソフトウェアまたは適切なプログラムによって制御することができる。この場合にウェイクアップ信号のブロックは，このソフトウェアまたはこのプログラムによって作動される。
【０００９】
本発明にかかる制御装置のロック方法を実施することにより，制御装置が障害を起こす可能性のある温度である危機的温度またはオフ温度より温度が上昇したときにウェイクアップ信号がブロックされるようにすることができる。したがって，危機的温度またはオフ温度よりも高い温度である場合，制御装置の覚醒は禁止される。また，代替的に，ウェイクアップ信号を，危機的温度より低い，温度領域内または温度領域外でブロックすることができる。
【００１０】
好ましくは，本発明にかかる制御装置のロック方法は，制御装置の温度を考慮して実施される。例えば，制御装置の温度が危機的温度より高くなり，あるいはこの危機的温度に達した場合に，制御装置のためのウェイクアップ信号は過温度回路によってブロックされる。
【００１１】
また，本発明にかかる制御装置のロック方法は，少なくとも１の他の装置の温度を考慮して，あるいはそれにしたがって実施することも可能である。この他の装置は，制御装置と間接的または直接的に相互作用することができ，例えば，制御装置によって制御される。この装置の温度が，危機的温度より高くなり，あるいはこの危機的温度に達した場合には，ウェイクアップ信号は過温度回路によって永続的にブロックされる。
【００１２】
制御装置は，通常，例えば車両のような，技術的な装置内に備えられている。
【００１３】
本発明にかかる制御装置のロック方法は，例えば，始動装置によって，通常イグニションキーによって行われる制御装置の始動の際に実施することができる。制御装置が制御機能を開始するように，制御装置の覚醒は，ウェイクアップ信号が制御装置へ達することによって行われる。すなわち，ウェイクアップ信号がブロックされない場合にだけ，導入することができる。しかし，温度が危機的温度より高いもしくは等しい場合に，ウェイクアップ信号は，制御装置のスイッチを切ることによってブロックされる。また，ウェイクアップ信号がロックされている場合に，始動の際に制御装置を覚醒させることはできない。ここで，制御装置は，イグニションキーを用いて第１のルートを介して常に覚醒させることができる。なお，「第１のルート」とは，例えば，イグニッションキーによってスイッチを入れ，モータが起動させるためのルートである。ここで，本発明の過温度回路によるロックは，制御装置を覚醒させるために設けられている，第２のルート，例えばＣＡＮ（ｃｏｎｔｒｏｌｌｅｒ  ａｒｅａ  ｎｅｔｗｏｒｋ）に関するものである。本発明においては，この２つのルートの一方である第２のルートのみが永続的にブロックされる。
【００１４】
本発明にかかる制御装置のロック方法により，過温度によってウェイクアップ信号が一回だけ作動され，永続的にブロッキングさせることができる。この場合，過温度回路によって一回作動されたロックは，制御装置および／または装置の温度が，危機的温度より低下することによっては無効にされない。すなわち，ウェイクアップ信号は，過温度回路によって永続的にブロックされる。したがって，危機的温度に達することにより過温度回路がブロッキングを一回作動させた場合には，過温度回路は，信号路，例えばＣＡＮ（ｃｏｔｒｏｌｌｅｒ  ａｒｅａ  ｎｅｔｗｏｒｋ）を介して準備されたウェイクアップ信号による制御装置の覚醒を，永続的にロックする。
【００１５】
ウェイクアップ信号のブロッキングまたはいわゆる永続的なブロッキングは，始動装置によって制御装置が始動された場合にリセットすることができる。これは，例えば，温度が危機的温度より低い場合である。この場合には，ウェイクアップ信号は，制御装置の始動により再び制御装置へ達することができる。
【００１６】
また，本発明の別の観点によれば，ウェイクアップ信号を過温度回路内のトランジスタによってブロックさせることもできる。このために，トランジスタは，制御装置のために設けられているウェイクアップ信号がトランジスタによって信号路から導き出されるように，信号路内に接続することができる。これは，温度に基づいて行われ，この場合にトランジスタは，例えば温度に敏感なモジュールによって調節することができる。このとき，トランジスタは，過温度回路の双安定素子によって切り替えることができる。すると，制御装置と他の電子機器（この電子機器を介してウェイクアップ信号が伝送される）の間の信号路は，トランジスタによってブロックされるので，他の装置から送信されたウェイクアップ信号は制御装置へ達しない。ここで，過温度回路は，例えば，制御装置またはこの制御装置の内部に配置することもできる。
【００１７】
トランジスタを切り替えるための双安定素子は，制御装置および／または装置の温度に応じてその状態を変化させ，かつ温度に敏感なモジュールによって調節されて，その状態を変化させることができる。
【００１８】
本発明にかかる制御装置の過温度回路は，制御装置を覚醒させるべきウェイクアップ信号をロックするように形成されている。
【００１９】
過温度回路は，ロックエレクトロニクスとして形成することができ，危機的温度に達した場合にソフトウェアによって操作される。このため，ソフトウェアによって作動される制御装置のハードウェア側のロックは，過温度回路によって実現されている。過温度回路は，例えば制御装置内に収容することができる。
【００２０】
過温度回路または過温度回路の少なくとも１つの温度に敏感なモジュールは，制御装置の少なくとも１つの最大の温度プロフィールに相当する温度プロフィールを有することができる。したがって，過温度回路または温度に敏感なモジュールは，温度センサの特性を有することができる。過温度回路またはモジュールの温度特性曲線または温度プロフィールは，温度が危機的温度の上になるとすぐに，過温度回路が制御装置の温度変化に確実に反応することができ，制御装置のためのウェイクアップ信号をブロックするように，制御装置または装置の温度特性曲線または温度プロフィールに合わせられている。
【００２１】
過温度回路は，例えばフリップフロップのような，双安定素子とトランジスタを有している。このとき，双安定素子は，温度の値に基づいて，場合によっては温度に敏感なモジュールによって調節されることによってその状態を変化させ，これによりトランジスタを切り替える。温度に敏感なモジュールは，かかるモジュールがトランジスタを直接切り替えるように形成することもできるので，双安定な素子を省くことができる。
【００２２】
さらに，上記制御装置のロック方法を実施するために，コンピュータ上または該当する計算ユニット上で実施されるプログラムコード手段を有するコンピュータプログラムを提供することもできる。
【００２３】
また，上記制御装置のロック方法を実施するために，コンピュータまたは該当する計算ユニットにより読取り可能なデータ担体上に記憶され，コンピュータ上または該当する計算ユニット上で実施されるプログラムコード手段を有するコンピュータプログラム製品を提供することもできる。
【００２４】
なお，上述した特徴および後述する特徴は，それぞれ記載の組み合わせにおいてだけでなく，他の組み合わせにおいて，あるいは単独でも，本発明の枠を逸脱することなしに使用することができる。
【発明の効果】
【００２５】
以上説明したように本発明によれば，制御装置の温度あるいは制御装置が置かれた環境の温度による制御装置の障害を回避することの可能な，制御装置のロック方法を提供することができる。
【発明を実施するための最良の形態】
【００２６】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２７】
本発明にかかる実施形態を図１および２に概略的に示した。以下，図１および２を参照して詳細に説明する。
【００２８】
図１は，過温度回路３，制御装置５および電子機器７を有する制御装置ユニット１を概略的に示す概略説明図である。過温度回路３は，例えば，トランジスタ１１（例えばＴ１００）と，Ｊ−Ｋ−フリップフロップとして形成された双安定素子１３と，電圧源１５への接続と，その他様々な抵抗およびコンデンとを有している。
【００２９】
さらに，電気的抵抗１７（例えば１００ｋΩの抵抗値を有するＲ１１０）と，電気的抵抗１９（例えば１ＭΩの抵抗値を有するＲ１１１）と，コンデンサ２１（例えば１０ｎＦの容量を有するＣ１１０）と，コンデンサ２３（例えば１０ｎＦの容量を有するＣ１０１）と，電気的抵抗２５（例えば１００ｋΩの抵抗値を有するＲ１０１）と，電気的抵抗２７（例えば１００ｋΩの抵抗値を有するＲ１００）と，抵抗２９（例えば１０ｎＦの容量を有するＣ１００）とを備える。
【００３０】
過温度回路３は，第１の入出力部３１を有しており，入出力部３１を介して過温度回路３は温度に敏感なモジュール３３と接続されている。さらに，過温度回路３は，アナログ−デジタル出力部３５を有している。
【００３１】
制御装置ユニット１内に配置されている制御装置５と電気機器７とは，信号路３９を介して互いに接続されている。さらに，この制御装置５は，始動装置４１（例えばイグニションキー）と接続されている。ここで，トランジスタ１１は，制御装置５と電気機器７とを接続する信号路３９内に接続されている。そして，トランジスタ１１がどのように接続されているかにしたがって，信号路３９を介して伝送すべき信号を，アース４３へ案内して信号をブロックしたり，あるいは信号路３９を解放して信号が制御装置５へ達するようにする。
【００３２】
始動装置４１は，制御装置５をリセットし，あるいは始動させるように形成されている。この場合，電気機器７によって発生されたウェイクアップ信号は，トランジスタ１１が遮断されている場合に，信号路３９を介して制御装置５へ伝達されることができる。したがって，ウェイクアップ信号によって，制御装置５を覚醒させることが可能である。
【００３３】
過温度回路３は，温度に応じてウェイクアップ信号をブロックし，それに伴って制御装置５をロックするように形成されている。この場合，ウェイクアップ信号は，制御装置５の温度を考慮してブロックされる。制御装置５の温度は，温度に敏感なモジュール３３によって検出され，そのモジュール３３は，制御装置５の少なくとも１つの最大の温度プロフィールに相当する，温度プロフィールを有している。これは，モジュール３３が，制御装置５の温度が危機的温度より高いか，低いか，あるいは危機的温度と等しいかを確実に区別できることを意味している。このため，モジュール３３の温度プロフィールだけでなく，過温度回路３の温度プロフィールも，例えば制御装置５の危機的温度の領域内で特に敏感であってもよい。
【００３４】
この例において，温度に敏感なモジュール３３は，制御装置５の温度に応じて，双安定素子１３が取り得る２つの位置を調節する。この制御装置５の機能について，図２に示すフローチャートの処理ステップ２０１，２０３，２０５，２０７に示されている。
【００３５】
処理ステップ２０１において初期スタート２０１されると，処理ステップ２０３においてソフトウェア制御のチェック２０３が行われる。そして，制御装置５の温度が危機的温度より低い場合，処理ステップ２０５において，双安定素子１３は第１の状態（Ｑ＝０）となる。この場合，トランジスタ１１は，双安定素子１３により信号路３９に沿ったウェイクアップ信号のルートを解放して，ウェイクアップ信号が制御装置５へ達するように切り替えられる。これにより，制御装置５を覚醒させることができる。
【００３６】
一方，制御装置５の温度が危機的温度より高いか，あるいは等しい場合，処理ステップ２０７において，双安定素子１３はモジュール３３に調節されて，第２の状態（Ｑ＝１）となる。この場合，双安定素子１３によりウェイクアップ信号がブロックされるように，トランジスタ１１は切り替えられる。したがって，ウェイクアップ信号は制御装置５へ達しないため，制御装置５はロックされた状態のままであり，かつ信号路３９を介して覚醒させることはできない。
【００３７】
この配置において，様々なスイッチオン条件を生じさせることができる。例えば，処理ステップ２０１の初期スタートにおいて初めて，電圧源１５に電圧Ｕ＿ＳＴＢＹが印加される。これにより，双安定素子１３は，電圧Ｕ＿ＳＴＢＹによる連続給電に基づいて，処理ステップ２０５の第１の状態，すなわち優先される状態（Ｑ＝０）へ揺動する。この場合，制御装置５の温度は危機的温度よりも低い。また，トランジスタ１１は，双安定素子１３によって遮断される。これにより，信号路３９は解放されるので，信号路３９を介して伝達される，電子機器７から出力されたウェイクアップ信号によって制御装置５を覚醒させることが可能となる。トランジスタ１１のステータスは，アナログ−デジタル出力部３５を介してソフトウェアによって読み出すことができる。
【００３８】
一方，いわゆるエラーが発生すると，制御装置５の温度が危機的温度より高い状態となる。したがって，双安定素子１３は，処理ステップ２０７において，モジュール３３によって調節されて，第２の状態（Ｑ＝１）をとる。これにより，トランジスタ１１は，それが導通するように切り替えられるので，ウェイクアップ信号が信号路３９からアース４３へ案内される。したがって，制御装置５のためのウェイクアップ信号がブロックされ，し制御装置５はロックされる。なお，制御装置５は，ウェイクアップ信号によって覚醒させることはできない。両方の場合において，制御装置５の覚醒は，制御装置５の温度に関係なく，始動装置４１によって可能である。
【００３９】
始動装置４１が最初に操作された場合に，制御装置５が覚醒される。この場合に，トランジスタ１１のステータスは，アナログ−デジタル出力部３５を介して照会することができる。制御装置５の温度が，危機的温度より高い状態，あるいはこの危機的温度と同じであった後に，制御装置５の温度がこの危機的温度よりも低くなった場合には，ソフトウェアが入出力部３１を介してトグルし，または双方向に切り替えて，双安定素子１３のために所望の状態を設定することができる。
【００４０】
制御装置５の温度が，前状態と変わらず危機的温度より高いか，あるいはそれと等しい場合には，ソフトウェアは入出力部３１を介してトグルし，トランジスタ１１がウェイクアップ信号を逃がすことにより制御装置５がロックされ，またはロックされ続けるように，双安定素子１３を設定することができる。この場合，トランジスタ１１は，双安定素子１３に応じた状態へ設定されて，電圧源１５を介して電圧Ｕ＿ＳＴＢＹが供給され続ける。したがって，電子機器７から出力されるウェイクアップ信号に基づく制御装置５の覚醒は，不可能である。
【００４１】
制御装置５の覚醒が設定されている場合には，制御装置５は始動装置４１を介してリセットされることにより覚醒させられる。そして，その後，常にソフトウェアを介して検査が行われる。すなわち，過温度回路３の形態と機能方法に基づいて，制御装置５の温度が危機的温度よりも高く，あるいはそれと等しい場合には，制御装置５を覚醒させることは不可能である。
【００４２】
制御装置ユニット１の配置全体を，例えば，車両内に配置することができる。ウェイクアップ信号のブロッキングによる制御装置５のロックは，制御装置５の温度に依存せずに，他の装置，例えば車両のトランスミッションに依存するように行うこともできる。危機的温度としては，トランスミッションの機能のために最大許容される，例えば約１５０℃の温度を選択することができる。したがって，トランスミッション内がこの温度（約１５０℃）より高い場合においては，制御装置５の覚醒は禁止される。この種の適用において，始動装置４１は，イグニションキー（ＫＬ．１５）によって操作すべき，車両のイグニションロックとすることができる。制御装置５のリセットは，イグニションロックの該当する信号によって可能である。
【００４３】
トランスミッションのための制御装置５は，ＣＡＮ接続の内部，あるいは制御装置ユニット１の内部において，１または２以上の信号路３９を介して覚醒させることができる。
【００４４】
もちろん，開始された覚醒の後に，危機的な駆動パラメータの範囲外，この場合においては危機的温度より高い場合，制御装置５の許容されない駆動を行うことは不可能である。過温度回路３によるウェイクアップ信号のブロックによって制御装置５をロックすることは，ハードウェア側で行われる。過温度回路３は，代替的に，Ｓｔａｂｉ−ＡＳＩＣ（「Ｓｔａｂｉ」は電圧調整器（ｖｏｌｔａｇｅ  ｒｅｇｕｌａｔｏｒ）の意である。）として形成することができ，制御装置５の内部に収容することもできる。このように，制御装置５の内部の形態において，セラミック面積に対するシリコン面積の最適な比を達成することができる。いわゆるＬＩＮ−Ｗａｋｅ−ｕｐにおいて過温度回路３を使用することも考えられる。
【００４５】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００４６】
本発明は，制御装置のロック方法，過温度回路，プログラムコード手段を有するコンピュータプログラムおよびコンピュータプログラム製品に適用可能である。
【図面の簡単な説明】
【００４７】
【図１】過温度回路，制御装置および他の電子装置を示す概略説明図である。
【図２】制御装置のロック方法を説明するフローチャートである。
【符号の説明】
【００４８】
１        制御装置ユニット
１１      トランジスタ
１３      双安定素子
３        過温度回路
３９      信号路
４１      始動装置
５        制御装置
７        電気機器
【図１】
2006096342.tif 000003
【図２】
2006096342.tif 000004